(57)【要約】      （修正有）【課題】保冷箱に係り、取っ手が取り付く側壁の変形を防止した保冷箱を提供する。【解決手段】断熱構造を有する保冷器体３３の開口部に、断熱構造を有する保冷蓋体３５を開閉自在に取り付け、前記保冷器体３３の側壁に運搬用の取っ手６３を取り付けた保冷箱３１に於て、前記保冷蓋体３５に、前記取っ手６３が取り付く保冷器体３３の側壁の上部を覆う変形防止片９１を該側壁に沿って延設する。そして、前記保冷箱３１に於て、前記取っ手６３が取り付く保冷器体３３の側壁に、前記保冷蓋体３５の縁部を押さえ込む係止具７５を、運搬用のサイドロックとして回動自在に取り付けたことを特徴とする。【選択図】図２
2009107638.tif 000002
【特許請求の範囲】
【請求項１】
断熱構造を有する保冷器体の開口部に、断熱構造を有する保冷蓋体を開閉自在に取り付け、前記保冷器体の側壁に運搬用の取っ手を取り付けた保冷箱に於て、
前記保冷蓋体に、前記取っ手が取り付く保冷器体の側壁の上部を覆う変形防止片を該側壁に沿って延設したことを特徴とする保冷箱。
【請求項２】
前記取っ手が取り付く保冷器体の側壁に、前記保冷蓋体の縁部を押さえ込む係止具を、運搬用のサイドロックとして回動自在に取り付けたことを特徴とする請求項１に記載の保冷箱。
【請求項３】
前記保冷器体の側壁に、前記係止具が取付具を介して回動自在に取り付き、該取付具に、前記取っ手が前記係止具の内側に回動自在に取り付いていることを特徴とする請求項２に記載の保冷箱。
【発明の詳細な説明】
【技術分野】
【０００１】
本発明は、魚釣りやキャンプ等に携帯するレジャー用の保冷箱（クーラーボックス）に関する。
【背景技術】
【０００２】
特許文献１または図５，図６に示すように、従来、魚釣りやキャンプ等に携帯するレジャー用の保冷箱１は、断熱構造の保冷蓋体３を、同じく断熱構造の保冷器体５の開口縁７上に配置し、該保冷蓋体３の長辺側の複数箇所を蝶番９を介して保冷器体５に開閉自在に蝶着し、反対側の複数箇所を係止具１１を介して保冷器体５に着脱自在に固定した構造となっている。
【０００３】
また、運搬用のサイドロックとして、保冷蓋体３の左右の短辺側を押さえ込む係止具１３を保冷器体５の左右の側壁１５に設け、該係止具１３によって保冷蓋体３の左右の短辺側を着脱自在に固定している。そして、図示するように前記係止具１３に取っ手１７が直接取り付くと共に、保冷器体５の底部から回したショルダーベルト１９が左右の係止具１３に設けたベルト挿通孔２１を挿通して、保冷蓋体３の上方に架け渡された構造となっている。
【特許文献１】実公平６−２９６４２号公報
【発明の開示】
【発明が解決しようとする課題】
【０００４】
しかし乍ら、前記保冷箱１は内部に水や氷塊を入れて魚等を保冷する性質上、斯様に魚等を保冷した状態で運搬する場合、重量が非常に重くなる。
【０００５】
このため、斯かる状態で左右の取っ手１７を掴んで保冷箱１を持ち上げて運搬すると、取っ手１７が取り付く係止具１３の取付部位周辺の側壁１５にこれを斜め外方へ変形させようとする大きな力が作用し、長期に亘る使用で左右の側壁１５の上部が外方へ変形してしまう虞があった。
【０００６】
そして、斯様に保冷器体５の側壁１５の上部が変形してしまうと、前記係止具１３と保冷蓋体３との係脱に支障を来し、また、保冷蓋体３と保冷器体５との間に隙間が生じて保冷箱１の内部から冷気が逃げてしまう虞もあった。
【０００７】
更に、前記保冷箱１は係止具１３に取っ手１７が直接取り付いた構造上、運搬時に取っ手１７に加わる力で係止具１３が外れてしまう不具合も指摘されていた。
【０００８】
本発明は斯かる実情に鑑み案出されたもので、取っ手が取り付く側壁の変形を防止した保冷箱を提供することを目的とする。
【課題を解決するための手段】
【０００９】
斯かる目的を達成するため、請求項１に係る発明は、断熱構造を有する保冷器体の開口部に、断熱構造を有する保冷蓋体を開閉自在に取り付け、前記保冷器体の側壁に運搬用の取っ手を取り付けた保冷箱に於て、前記保冷蓋体に、前記取っ手が取り付く保冷器体の側壁の上部を覆う変形防止片を該側壁に沿って延設したことを特徴とする。
【００１０】
そして、請求項２に係る発明は、請求項１に記載の保冷箱に於て、前記取っ手が取り付く保冷器体の側壁に、前記保冷蓋体の縁部を押さえ込む係止具を、運搬用のサイドロックとして回動自在に取り付けたことを特徴とする。
【００１１】
更に、請求項３に係る発明は、請求項２に記載の保冷箱に於て、前記保冷器体の側壁に、前記係止具が取付具を介して回動自在に取り付き、該取付具に、前記取っ手が前記係止具の内側に回動自在に取り付いていることを特徴とする。
【発明の効果】
【００１２】
請求項１に係る発明によれば、取っ手を掴んで保冷箱を運搬する際に、変形防止片が側壁上部の変形を防止するため、長期に亘る使用で側壁の上部が外方へ変形してしまうことがなく、保冷箱本来の機能を長期に亘って良好に維持することが可能となった。
【００１３】
また、請求項２及び請求項３に係る発明によれば、運搬時に側壁が変形しようとすると、係止具が突っ張って側壁上部の変形を防止するため、側壁の変形をより確実に防止することができると共に、運搬時のサイドロックとして機能する係止具が保冷箱の運搬時に簡単に外れることもない。
【発明を実施するための最良の形態】
【００１４】
以下、本発明の実施形態を図面に基づいて詳細に説明する。
【００１５】
図１乃至図４は請求項１乃至請求項３の一実施形態に係る保冷箱を示し、図１に於て、３１は断熱構造を有する保冷器体３３とこれに開閉自在に取り付く断熱構造を有する保冷蓋体３５からなる保冷箱で、図１及び図３に示すように保冷器体３３は、ナイロンやポリプロピレン，ウレタン等の合成樹脂で形成された外ケース３７と内ケース３９により底部４１と４つの側壁４３，４５，４７，４９を有する長方形のボックス状に形成されて、内部を収納部５１とし、上部に収納口（開口部）５３が開口している。そして、外ケース３７と内ケース３９の間に、ウレタン等の合成樹脂の発泡材からなる断熱材５５が詰入された構造となっている。
【００１６】
そして、図１乃至図３に示すように底部４１の四隅に滑り止めラバー５７が取り付き、長辺側の側壁４３，４７の側壁４９側下部側方にキャスター５９が側壁４３，４７に沿って夫々取り付けられている。
【００１７】
また、短辺側の側壁４５の上部に、後述する取付具６１を介して正面視矩形状の合成樹脂製の枠体からなる取っ手６３が回動自在に取り付けられており、図１に示すように取っ手６３を手６５で握って保冷箱３１の側壁４５側を持ち上げると、前記キャスター５９を転がして保冷箱３１を引っ張りまたは押して運搬できるようになっている。
【００１８】
一方、図３に示すように前記保冷蓋体３５も、保冷器体３３と同一材料で形成された外ケース６７と内ケース６９とで形成されて、この間に断熱材４１が詰入された構造からなり、前記収納口５３の開口縁７１上に載置可能な形状とされている。
【００１９】
そして、保冷蓋体３５の長辺側の複数箇所を蝶番（図示せず）を介して保冷器体３３の側壁４７に開閉自在に蝶着し、図１に示すように反対側の複数箇所を、保冷器体３３の側壁４３の上部に設けた係止具７３を介して該保冷器体３３に着脱自在に係合した構造となっている。
【００２０】
更に、図１乃至図３に示すように運搬用のサイドロックとして、金属線材からなる正面視矩形状の係止具７５が、前記取付具６１を介して保冷器体３３の側壁４５の上部に回動自在に取り付けられている。尚、図２に示すように係止具７５は取っ手６３よりも細く、縦横寸法も小さく設定されている。
【００２１】
図２及び図３に示すように取付具６１は、側壁４７に四隅がビス７７で固着された正面視矩形状のプレート７９と、側壁４５の左右方向に沿って該プレート７９上に設けられた断面略Ｕ字状の第一取付具本体８１と、該第一取付具本体８１に沿ってその頂部に一体形成された断面略Ｕ字状の第二取付具本体８３とからなり、第一取付具本体８１と第二取付具本体８３は内部が連通し、また、第二取付具本体８３は第一取付具本体８１に比し小さく設定されている。そして、内側の大きな第一取付具本体８１内を取っ手６３が挿通し、外側の小さな第二取付具本体８３内を係止具７５が挿通している。
【００２２】
そして、係止具７５の一片８５に、２つの係止片８７を有する断面略Ｚ字状の止め具８９が回動自在に取り付けられている。
【００２３】
一方、図２及び図３に示すように、前記側壁４５に対応する保冷蓋体３５の短辺側に、保冷器体３３の側壁４５の上部を覆う変形防止片９１が保冷蓋体３５の側方（図３中、矢印Ａ方向），上方（同じく矢印Ｂ方向）及び側壁４５に沿って下方（同じく矢印Ｃ方向）へ延設されており、図４に示すように保冷蓋体３５を閉めて、変形防止片９１の上部突出端９３の裏面側に前記止め具８９の係止片８７を係止すると、係止具７５が保冷蓋体３５を押さえ込んで運搬用のサイドロックとして機能するようになっている。
【００２４】
尚、図２に示すように斯様に上部突出端９３の裏面側に止め具８９の係止片８７を係止したとき、前記変形防止片９１は係止具７５内に収まる外形寸法となっている。また、変形防止片９１内には断熱材５５が詰入されている。
【００２５】
そして、上述の如く保冷蓋体３５を閉めて、変形防止片９１の上部突出端９３の裏面側に前記止め具８９の係止片８７を係止すると、変形防止片９１の下部突出端９５が、運搬時の側壁４５の上部の変形を防止する機能を果たすようになっている。尚、保冷蓋体３５の開閉に支障を来さないように、前記下部突出端９５と側壁４５の上部との間に隙間９７が設けられており、図１の如き運搬時に側壁４５の上部がやや変形すると、前記下部突出端９５に圧接してそれ以上の変形が防止されるようになっている。
【００２６】
その他、図３中、９９は前記開口縁７１に圧接可能に保冷蓋体３５に装着されたパッキン、１０１はショルダーベルトで、該ショルダーベルト１０１は、保冷器体３３の底部４１から前記取付具６１の第一取付具本体８１に設けたベルト挿通孔１０３を挿通して、保冷蓋体３５の上方に架け渡されている。
【００２７】
本実施形態はこのように構成されているから、例えば、釣れた魚等を保冷箱３１に入れて保冷し乍ら車で持ち帰る場合、保冷器体３３の収納部５１内に入れた水や氷塊中に魚等を入れて保冷蓋体３５を閉め、係止具７３，７５で保冷蓋体３５を保冷器体３３に固定し、そして、ショルダーベルト１０１を保冷器体３３の底部４１から保冷蓋体３５の上方に架け渡した後、図１に示すように取っ手６３を手６５で掴んで保冷箱３１の側壁４５側を持ち上げ、キャスター５９を転がして保冷箱３１を車の処まで引っ張っていけばよい。
【００２８】
而して、斯様に取っ手６３を手６５で掴んで保冷箱３１の側壁４５側を持ち上げ、また、キャスター５９を転がして保冷箱３１を引っ張ると、水や氷塊を入れた保冷箱３１は重量があるため、取っ手６３が取り付く側壁４５の上部、即ち、取っ手６３が取り付く取付具６１周辺の側壁４５にこれを斜め外方へ変形させようとする大きな力が作用し、側壁４５の上部が変形しようとするが、側壁４５の上部がやや変形すると、前記変形防止片９１の下部突出端９５に圧接してそれ以上の変形が防止されることとなる。
【００２９】
また、斯様に取付具６１周辺の側壁４５が斜め外方へやや変形するに従い、変形防止片９１の上部突出端９３の裏面側に係止片８７が係止する係止具７５が突っ張って、側壁４５を変形させるようとする変形力に抗して側壁４５の変形を防止する。
【００３０】
更にまた、係止具１３に取っ手１７が直接取り付く特許文献１の従来例と異なり、本実施形態は、取付具６１の内側の大きな第一取付具本体８１内を取っ手６３が挿通し、外側の小さな第二取付具本体８３内を係止具７５が挿通した構造となっているため、取っ手６３を引っ張ると、係止具７５の第二取付具本体８３内を挿通する部位が同方向に引っ張られ、この結果、既述したように変形防止片９１の上部突出端９３に係止している係止具７５が突っ張って、側壁４５を変形させるようとする変形力に抗して側壁４５上部の変形を防止し、また、保冷蓋体３５を強く押さえ込むこととなって、運搬時のサイドロックとして機能する係止具７５が簡単に外れることもない。
【００３１】
このように本実施形態は、図１の如く取っ手６３を手６５で掴んで保冷箱３１の側壁４５側を持ち上げ、キャスター５９を転がして保冷箱３１を運搬する際に、前記変形防止片９１と運搬時のサイドロックとして機能する係止具７５が側壁４５上部の変形を防止するため、長期に亘る使用で側壁４５の上部が外方へ変形してしまうことがなく、因って、保冷箱３１本来の機能を長期に亘って良好に維持することが可能となった。
【００３２】
また、既述したように本実施形態によれば、運搬時のサイドロックとして機能する係止具７５が、図１の如き保冷箱３１の運搬時に簡単に外れることもない。
【００３３】
尚、前記実施形態は、キャスター５９を装着した保冷箱に本発明を適用したが、特許文献１の従来例の如く、左右の取っ手を掴んで持ち上げて運搬する保冷箱にも本発明は適用可能である。
【図面の簡単な説明】
【００３４】
【図１】請求項１乃至請求項３の一実施形態に係る保冷箱の運搬時の側面図である。
【図２】保冷箱の側面図である。
【図３】図２のIV−IV線断面に対応する保冷箱の断面図である。
【図４】図２のIV−IV線断面図である。
【図５】従来の保冷箱の全体斜視図である。
【図６】保冷蓋体を開いた保冷箱の全体斜視図である。
【符号の説明】
【００３５】
３１  保冷箱
３３  保冷器体
３５  保冷蓋体
３７，６７  外ケース
３９，６９  内ケース
５３  収納口（開口部）
５５  断熱材
５７  滑り止めラバー
５９  キャスター
６１  取付具
６３  取っ手
７１  開口縁
７３，７５  係止具
７９  プレート
８１  第一取付具本体
８３  第二取付具本体
８９  止め具
９１  変形防止片
９３  上部突出端
９５  下部突出端
１０１  ショルダーベルト
【図１】
2009107638.tif 000003
【図２】
2009107638.tif 000004
【図３】
2009107638.tif 000005
【図４】
2009107638.tif 000006
【図５】
2009107638.tif 000007
【図６】
2009107638.tif 000008